(57)【要約】【課題】  計測時間帯が日付を跨いだ時間帯の場合であっても、電力使用量データが日付により分離されることがない電子式電力量計を提供する。【解決手段】  電流情報及び電圧情報を基に電力量を演算する演算部９と、求めた電力量データを表示する表示部７と、電力量データを記憶する記憶部６と、電力使用量を演算する時間帯を設定する操作部８とを有し、演算部９は設定された電力使用量の計測時間帯が午前０時を跨ぐ場合には、その時間帯が終了するまで日付変更制御を実施せず、演算を開始した日付の電力使用量データとして記憶部６に保存制御する。【選択図】  図１
2008275467.tif 000002
【特許請求の範囲】
【請求項１】
測定対象電路の電流情報及び電圧情報を基に電力量を演算する演算部と、求めた電力量データを表示する表示部と、電力量データを記憶する記憶部とを有する電子式電力量計であって、
電力量を積算して電力使用量を演算する時間帯を設定する設定部を有すると共に、前記演算部は設定された時間帯の積算電力量を演算して前記記憶部に保存制御し、前記演算部は設定された前記時間帯が午前０時を跨ぐ場合には、午前０時前後で積算値を分離せず、前記記憶部に保存制御することを特徴とする電子式電力量計。
【請求項２】
演算部は、電力使用量の演算が午前０時を跨ぐ時間帯で行われる場合、前記時間帯が終了するまで日付変更制御を実施せず、積算を開始した日付の電力使用量データとして保存制御する請求項１記載の電子式電力量計。
【発明の詳細な説明】
【技術分野】
【０００１】
本発明は、電力量を測定して表示すると共に、測定した電力量データを保存する機能を備えた電子式電力量計に関する。
【背景技術】
【０００２】
従来の電子式電力量計は、電力量を測定してデータを保存する機能に加えて設定した特定の時間帯の電力使用量を演算する機能を備えている。電力使用量の演算は、１日を任意の時間帯に分けて電力使用量を記録でき、例えば図３に示すように夜間時間帯を０〜８時と２２〜２４時、昼時間帯を８〜１０時と１７〜２２時、重負荷時間帯を１０〜１７時の様に分割し、夫々の時間帯に使用した電力量を記録として残すことが可能となっている（例えば、特許文献１参照）。
この記録形態の場合、電力会社の料金体系に準じた時間帯別の記録ができ、また日付毎に分けて使用電力の記録ができるので、月別の電気料金などを算出する場合には便利なものとなっている。
【０００３】
【特許文献１】特開２００４−１７７１２６号公報
【発明の開示】
【発明が解決しようとする課題】
【０００４】
２４時間操業の工場等では、作業時間帯が早番と遅番とに分かれているのが一般的であり、遅番の時間帯は深夜０時を跨いで二日間に亘る場合が多い。このような勤務形態の電力使用量を管理しようとした場合、夫々の時間帯での電力使用量が明確になることが重要である。しかしながら、従来の電子式電力量計では、連続した時間帯であるにもかかわらず、日付が変わることで別の時間帯として記録されていた。例えば、夜間時間帯の０〜８時は前日の２２〜２４時から連続した時間帯であるにも拘わらず、日を跨ぐ為別の日付として記録されてしまい、正確な電力使用状況の把握ができなかった。
【０００５】
そこで、本発明はこのような問題点に鑑み、計測時間帯が日付を跨いだ時間帯の場合であっても、電力使用量データが日付により分離されることがない電子式電力量計を提供することを目的とする。
【課題を解決するための手段】
【０００６】
上記課題を解決する為に、請求項１に記載の発明は、測定対象電路の電流情報及び電圧情報を基に電力量を演算する演算部と、求めた電力量データを表示する表示部と、電力量データを記憶する記憶部とを有する電子式電力量計であって、電力量を積算して電力使用量を演算する時間帯を設定する設定部を有すると共に、前記演算部は設定された時間帯の積算電力量を演算して前記記憶部に保存制御し、前記演算部は設定された前記時間帯が午前０時を跨ぐ場合には、午前０時前後で積算値を分離せず、前記記憶部に保存制御することを特徴とする。
この構成によれば、日付が変わった時点で電力量の積算値が分離されることがないため、例えば勤務体系が午前０時を跨ぐ遅番があるような工場であっても、遅番の時間帯の電力使用量の把握がし易く、電力管理がし易い。
【０００７】
請求項２の発明は、請求項１に記載の発明におて、演算部は、電力使用量の演算が午前０時を跨ぐ時間帯で行われる場合、前記時間帯が終了するまで日付変更制御を実施せず、積算を開始した日付の電力使用量データとして保存制御することを特徴とする。
この構成によれば、例えば午前０時を跨ぐ遅番の時間帯は、直前の早番の時間帯と同一の日付で管理できる。よって、早番と遅番の電力使用量の比較等行い易く、電力管理がし易い。
【発明の効果】
【０００８】
本発明によれば、日付が変わった時点で電力量の積算値が分離されることがないため、例えば勤務体系が午前０時を跨ぐ遅番があるような工場であっても、遅番の時間帯の電力使用量の把握がし易く、電力管理がし易い。
【発明を実施するための最良の形態】
【０００９】
以下、本発明を具体化した実施の形態を、図面に基づいて詳細に説明する。図１は本発明に係る電子式電力量計の一例を示す回路ブロック図であり、１は商用電源１０を備えた電源電路を接続する電源電路接続部、２は負荷１１が接続された負荷電路を接続する負荷電路接続部、３は電圧検出部、４は電流検出部、５は日時を管理するための計時部、６は測定した電力量データを保存する記憶部、７は測定した電力量等を表示する表示部、８は電力使用量を測定する時間帯や、表示部の表示内容を操作する操作部、９は電力量等を演算すると共に各部を制御する演算部である。
【００１０】
演算部９は、予め記憶された所定のプログラムにより制御動作するＣＰＵを備え、操作部８の操作により次のように動作する。ここでは、一日の作業時間が早番と遅番の２つの勤務形態で構成された工場の電力使用量を計測する場合を説明する。
最初に操作部８を操作して早番と遅番の２つの時間帯が設定される。図２は設定例を示し、早番の時間帯が６：３０〜１５：３０、即ち午前６時３０分から午後３時３０分、遅番の時間帯が１７：００〜２６：００、即ち午後５時００分から翌日の午前２時００分までの場合を示している。この設定は表示部７に時間表示が成されて行われる。
【００１１】
図２に示すように、計測時間帯の設定が午前０時を跨いでいる場合は、例えば２６時として終了時刻が設定される。時間帯の設定は、具体的に以下の条件設定が成されて実施され、遅番時間帯が深夜０時を跨いだ場合の時間表現は４８時間制となっている。尚、終了時刻が２６：００の場合は、翌日のスタートは２：００となり、電力量の演算が継続される。
０：００≦早番始業時刻＜２４：００
早番始業時刻≦早番終業時刻＜２４：００
早番終業時刻≦遅番始業時刻＜早番始業時刻＋２４：００
遅番始業時刻≦遅番終業時刻＜早番始業時刻＋２４：００
【００１２】
この設定により、遅番時間帯が深夜０時を跨ぐ場合、早番始業時の日付で遅番の記録を管理でき、「当日」の日付は遅番終業時刻まで適用できる。その後、遅番終業時刻を経過したら日付変更を実施し、この日付変更をもって時間表現が２４時に戻される。こうして、上述したように遅番が夜１７：００から翌日深夜２：００までの場合、早番と同じ日付で記録される。尚、日付変更は遅番終業時刻を過ぎた早番始業時刻としても良い。
【００１３】
こうして設定された時間帯の電力使用量の演算が行われ、各時間帯での積算電力量が演算されて記憶部６に記録される。こうして記憶されたデータは、操作部８を操作することで表示部７で閲覧が可能となっている。
【００１４】
このように、日付が変わった時点で電力量の積算値が分離されることがないため、例えば勤務体系が午前０時を跨ぐ遅番があるような工場であっても、遅番の時間帯の電力使用量の把握がし易く、電力管理がし易い。
また、午前０時を跨ぐ遅番の時間帯は、直前の早番の時間帯と同一の日付で管理できるので、早番と遅番の電力使用量の比較等行い易く、電力管理がし易い。
【００１５】
尚、上記実施形態では、早番、遅番の２交代制の場合の電力使用量の演算について説明したが、他の勤務形態の場合であっても同様に適用でき、例えば３交替制の勤務形態の場合において、午前０時を跨ぐ時間帯がある場合は、その時間帯の電力使用量が午前０時を境に分離されることがない。
【図面の簡単な説明】
【００１６】
【図１】本発明に係る電子式電力量計の実施形態の一例を示す回路ブロック図である。
【図２】電力使用量を演算する時間帯の設定例を示す説明図である。
【図３】従来の電力使用量を演算する時間帯の設定例を示す説明図である。
【符号の説明】
【００１７】
１・・電源電路接続部、２・・負荷電路接続部、３・・電圧検出部、４・・電流検出部、５・・計時部、６・・記憶部、７・・表示部、８・・操作部（設定部）、９・・演算部。
【図１】
2008275467.tif 000003
【図２】
2008275467.tif 000004
【図３】
2008275467.tif 000005